(57)【特許請求の範囲】
【請求項１】
第１の水栓用部材に設けられる組付部における空間断面が略円形の組付用空間部に対して、第２の水栓用部材の一部若しくは全体を構成する挿入部を挿入しつつ、前記第１の水栓用部材に前記第２の水栓用部材を組み付けて構成される、水栓用部材の組付構造であって、
前記組付部では、前記組付用空間部の軸心が水平若しくは傾斜状とされると共に、該軸心の方向に沿った所定の位置の下部に前記組付用空間部を外部に開放する開放孔が形成され、
前記挿入部の外周部のうちで、前記組付部における前記開放孔の形成箇所よりも奥側に挿入される部位には奥側装着部が周回状に設けられ、
該奥側装着部に対して、前記挿入部の外周部と前記組付部の内周部との間に水密部を形成するためのシール部材が装着され、
前記奥側装着部は、仮想的な基準円の円周部に沿った円弧状部分と、該基準円の円周部の内側に位置する逃がし部分と、を備える周回状の経路を備え、
前記組付用空間部内において下方側に位置する部位に前記円弧状部分が配置されることを特徴とする水栓用部材の組付構造。
【請求項２】
前記挿入部は軸心の方向に沿って挿通用空間部を備え、該挿通用空間部に吐水用ホースを引き出し自在に挿通しつつ、該吐水用ホースを保持すると共に、
前記第１の水栓用部材は、前記挿入部に保持された前記吐水用ホースを支持し、
前記挿入部の軸心の方向に沿った中間部には、前記挿通空間部内に浸入した水を、前記挿通空間部外に排水するための排水部が設けられ、該排水部と前記開放孔とが上下方向に位置合わせされることを特徴とする請求項１に記載の水栓用部材の組付構造。
【請求項３】
前記挿入部は、前記排水部を基準とした前記挿入部の軸心の方向に沿った両側に装着部を備え、各装着部に前記挿入部の外周部と前記組付部の内周部との間に水密部を形成するためのシール部材が装着されると共に、
前記挿入部において前記排水部よりも奥側に位置する装着部が、前記奥側装着部を構成することを特徴とする請求項１又は請求項２に記載の水栓用部材の組付構造。
【請求項４】
前記組付部に被係合部が設けられ、前記挿入部には係合部が設けられ、
前記係合部を前記被係合部に係合することで、前記挿入部の前記組付部への位置決めと、前記挿入部の前記組付部への固定が行われる請求項１乃至請求項３の何れかに記載の水栓用部材の組付構造。
【請求項５】
空間断面が略円形で、軸心が略水平、若しくは、傾斜状とされる組付用空間部を内部に形成すると共に、軸心の方向に沿った所定の位置の下部に前記組付用空間部を下方に向かって開放する開放孔が形成された組付部を具備する他の水栓部品に対して、一部若しくは全体を構成する挿入部を前記組付用空間部に挿入しつつ、組み付けられる水栓用部材であって、
前記挿入部の外周部のうちで、前記組付部における前記開放孔の形成箇所よりも奥側に挿入される部位には奥側装着部が周回状に設けられ、
該奥側装着部に対して、前記挿入部の外周部と前記組付部の内周部との間に水密部を形成するためのシール部材が装着されると共に、
前記奥側装着部は、仮想的な基準円の円周部に沿った円弧状部分と、該基準円の円周部の内側に位置する逃がし部分と、を備える周回状の経路を備え、
前記組付用空間部内において下方側に位置する部位に前記円弧状部分が配置されることを特徴とする水栓用部材。
【請求項６】
第１の水栓用部材に設けられる組付部における空間断面が略円形の組付用空間部に対して、第２の水栓用部材の一部若しくは全体を構成する挿入部を挿入しつつ、前記第１の水栓用部材に前記第２の水栓用部材を組み付けて構成される、水栓用部材の組付構造であって、
前記組付部において前記組付用空間部の軸心の方向に沿った所定の位置には、前記組付部を肉厚方向に貫通し、前記組付用空間部を前記組付部の外部に開放する開放孔が形成され、
前記挿入部の外周部のうちで、前記組付部における前記開放孔の形成箇所よりも奥側に挿入される部位には奥側装着部が周回状に設けられ、
該奥側装着部に対して、前記挿入部の外周部と前記組付部の内周部との間に水密部を形成するためのシール部材が装着されると共に、
前記奥側装着部は、仮想的な基準円の円周部に沿った円弧状部分と、該基準円の円周部の内側に位置する逃がし部分と、を備える周回状の経路を備えることを特徴とする水栓用部材の組付構造。
【発明の詳細な説明】
【技術分野】
【０００１】
本発明は、水栓用部材の組付構造及び水栓用部材に関する。
【背景技術】
【０００２】
水栓用部材の中には、通水部材（通水を行うための部材）を、内部に挿通させるものが存在する。例えば、シャワーヘッドを支持するためのシャワースタンドの中には、パイプ状に構成されるスタンド本体（水栓部材の具体例を構成する。）内に、シャワーヘッドへの通水を行うためのシャワーホース（通水部材の具体例を示す。）を、挿通させたものが存在する（特許文献１を参照）。
【特許文献１】特開平１０−２３７９１１号公報
【発明の開示】
【発明が解決しようとする課題】
【０００３】
ところで、この種の水栓用部材においては、シャワーヘッドから伝わる水が、通水部材の外周部を伝わり、この水栓用部材の内部に浸入することがある。このため、本出願人は、この種の水栓用部材を備える水栓において以下のような改良を試みた。つまり、図１１に示すように、スタンド本体（水栓部材）８０の周壁部の下部に、スタンド本体（水栓部材）８０の内部空間部８１を、下方に向かって開放する開放孔８３を形成する。
【０００４】
また、軸心の方向に挿入空間部８５ａを備える支持部材８５を用意する。この支持部材８５は、軸心方向に沿った中間部に挿入空間部８５ａを下方に向かって開放する排水孔８５ｂを備える。また、外周部において排水孔８５ｂの両側の部位に装着部８５ｃ、８５ｄを備える。そして、挿入空間部８５ａに対してシャワーホース５を引き出し自在に挿入し、両装着部８５ｃ、８５ｄにシール部材（パッキン）８６ａ、８６ｂを外嵌状に装着した状態にて、この支持部材８５をスタンド本体（水栓部材）８０の内部空間部８１に挿入する。このとき、排水孔８５ｂと開放孔８３とを上下方向に位置合わせすると、シャワーホース５を伝って、スタンド本体８０に浸入した水を、排水孔８５ｂ、開放孔８３の順に通過させ、スタンド本体８０外に排出することができる。
【０００５】
しかし、この種の水栓用部材（スタンド本体８０、支持部材８５）の組付を行うと、以下の問題を生ずる。つまり、開放孔８３は、通常、鋳物や樹脂成形等で成形された水栓用部材に対して、機械加工（切削等）によって事後的に形成されるのが一般的である。このため、水栓用部材（スタンド本体８０）の内周部８７のうちで開放孔８３の周辺に位置する部位には、機械加工によって「無用の突起部（「バリ」や「カエリ」）８８」を生ずることがある。尚、水栓用部材を、開放孔８３付きのものとして一体成形することも考えられるが、この場合においても、水栓用部材の内周部のうちで開放孔の周辺に位置する部位には、無用の突起部を生ずることがある。
【０００６】
従って、開放孔８３が設けられた水栓用部材（スタンド本体８０）に対して、他の水栓用部材（支持部材８５）を組み付ける過程で、開放孔８３よりも奥側に配置されるシール部材（パッキン）８６ｂが突起部８８と接触する。そして、このシール部材（パッキン）８６ｂに破損（切れ、キズ等）を生ずる可能性がある。
【０００７】
本発明は、上述の課題を解決するものであり、「開放孔を備える水栓用部材」に対して、「シール部材が装着された水栓用部材」を組み付ける際に、このシール部材に破損を生ずることを防止したり、破損を生ずる可能性を低くできる、水栓用部材の組付構造と、このような組付構造を構成するための水栓用部材を提供することを目的とする。
【課題を解決するための手段】
【０００８】
請求項１の発明の水栓用部材の組付構造は、
第１の水栓用部材に設けられる組付部における空間断面が略円形の組付用空間部に対して、第２の水栓用部材の一部若しくは全体を構成する挿入部を挿入しつつ、前記第１の水栓用部材に前記第２の水栓用部材を組み付けて構成される、水栓用部材の組付構造であって、
前記組付部では、前記組付用空間部の軸心が水平若しくは傾斜状とされると共に、該軸心の方向に沿った所定の位置の下部に前記組付用空間部を外部に開放する開放孔が形成され、
前記挿入部の外周部のうちで、前記組付部における前記開放孔の形成箇所よりも奥側に挿入される部位には奥側装着部が周回状に設けられ、
該奥側装着部に対して、前記挿入部の外周部と前記組付部の内周部との間に水密部を形成するためのシール部材が装着され、
前記奥側装着部は、仮想的な基準円の円周部に沿った円弧状部分と、該基準円の円周部の内側に位置する逃がし部分と、を備える周回状の経路を備え、
前記組付用空間部内において下方側に位置する部位に前記円弧状部分が配置されることを特徴とする。
【０００９】
請求項１の発明によると、組付用空間部の空間断面の形状（組付用空間部の軸心に直交する断面の形状）が略円形とされる。つまり、組付用空間部は、略円柱形状等とされるため、組付用空間部の内部において、挿入部をその軸心周りに回転可能となる。しかも、請求項１の発明では、奥側装着部が、その周回状の経路の一部を逃がし部分とする。換言すると、奥側装着部の描く経路の形状を円形状ではなく、当該円形状の一部をその中心方向に凹ませた形状とする。このため、奥側装着部にシール部材が装着（外嵌）されると、このシール部材の外周部は、奥側装着部の経路に倣った形状とされる。具体的には、このシール部材の外周部も、円弧状部分と、逃がし部分とを備えた形状となる。
【００１０】
このため、請求項１の発明では、挿入部の挿入作業を、例えば、以下のように行うことで、奥側装着部に装着されたシール部材に破損を生ずることを防止したり、破損を生ずる可能性を低くできる。即ち、シール部材（奥側装着部）が開放孔を通過する際に（組付用空間部において、開放孔が形成された空間断面を通過する際に）、奥側装着部と開放孔との間に作為的な「位置ズレ（組付用空間部の半径の方向に沿った位置ズレ）」を生じさせる。これによって、シール部材が、開放孔の周辺の突起部（バリ、カエリ等）と接触することを防止したり、接触する可能性を低くできる。そして、シール部材（奥側装着部）が開放孔を通過した後、挿入部と組付部との間の「作為的な位置ズレ」を解消すればよい。
【００１１】
尚、本発明においては、奥側装着部に装着されるシール部材の一部が、逃がし部分とされるため、このシール部材は、その外周部の全周によってシールを行わない。但し、組付用空間部の内部は、開放孔によって大気開放されるため、このように、「シール部材の一部に、逃がし部分が設けられても（つまり、シールを行わない部分が存在しても）」、水栓用部材の組付構造として必要なシール性能は確保されている。
【００１２】
各請求項の発明において、第１の水栓用部材は組付部のみで構成されても、第１の水栓用部材は組付部と他の部分とで構成されてもよい。また、第２の水栓用部材は挿入部のみで構成されても、第２の水栓用部材は挿入部と他の部分とで構成されてもよい。
【００１３】
各請求項の発明において、「開放孔」の形成目的は特に問わない。例えば、この「開放孔」を、「組付構造内（組付用空間部内）に浸入する水を、組付構造外（組付用空間部外）へ排水するための排水口」として形成する場合を例示できる。尚、請求項１〜５の発明において、「組付部において、組付用空間部の軸心の方向に沿った所定の位置の下部」とは、例えば、「組付部において組付用空間部の軸心の方向に沿った中間部のうちで、組付部の内周部を周回する方向に沿った最下端部」を例示できる。また、請求項１〜５の発明の「開放孔」は、この「下部」に止まらず、「下部を含む、下部よりも広範な部位」に設けられてもよい。つまり、「最下端部を含みつつも、組付部の内周部を周回する方向に沿った円弧状の部分」に設けられてもよい。
【００１４】
各請求項の発明において「開放孔」の形成方法は特に問わず、例えば、切削加工を例示できる。特に、組付部の外部から切削工具（ドリル等）を用いた機械加工によって、孔開け加工を施す場合、「組付部の内周部のうちで、開放孔の周囲の部位」には、「バリ」等の突起部を生じ易いため、各請求項の発明が、より一層、有意義なものとなる。
【００１５】
各請求項の発明において、「奥側装着部が描く、周回状の経路」の具体的な形状としては以下の形状を例示できる。即ち、（１）仮想的な基準円の円周部に沿った円弧状部分と、この円弧状部分の端部間を接続する直線状部分（弦状部分）と、を備える経路形状（特に、Ｄ字形状）、（２）仮想的な基準円の円周部に沿った円弧状部分と、円弧状部分の端部間を接続すると共に仮想的な基準円の円周部の内側に位置する曲線状部分（凹んだ曲線状部分）、を備える経路形状、等を例示できる。尚、各請求項の発明においては、「奥側装着部において、仮想的な基準円の円周部に沿った部位」が、シール部材を組付部の内周部と水密状に接触させ、このシール部材によってシールを実行させる部分であり、逃がし部分が、シール部材を組付部の内周部と非接触とさせる部分である。
【００１６】
各請求項の発明において、「奥側装着部が描く、周回状の経路」を、１つの円弧状部分と、この円弧状部分の端部間を接続する逃がし部分と、で構成する場合、「円弧状部分の中心角」を６０度〜３５０度のうちの何れかとすることが望ましい。中心角が６０度未満であると、シール部材によるシール範囲が過小となり、シール部材のシール能力が不十分となる。一方、３５０度を超えると、奥側装着部に逃がし部分が存在するにも関わらず、シール部材の外周部が真円状となるおそれがあるからである。尚、この「円弧状部分の中心角」を、１２０度〜３４０度のうちの何れかとすることが更に好ましく、１８０度〜３２０度のうちの何れかとすることが更に一層好ましく、２００度〜３００度のうちの何れかとすることが更により一層好ましい。
【００１７】
尚、請求項１〜５の発明において、「組付用空間部内において下方側に位置する部位」とは、例えば、「組付用空間部内において、組付部の内周部を周回する方向に沿った最下端部側に位置する部位」を例示できる。つまり、請求項１〜５の発明において円弧状部分は、この「最下端部」、若しくは、「最下端部を含む、最下端部よりも広範な部位」に配置される。
【００１８】
各請求項の発明においては、挿入部が複数個の「奥側装着部」を備え、各「奥側装着部」が、「仮想的な基準円の円周部に沿った円弧状部分と、該基準円の円周部の内側に位置する逃がし部分と、を備える周回状の経路」を備てもよい。また、各請求項の発明においては、挿入部が、「奥側装着部」以外の「装着部」、つまり、「挿入部の外周部のうちで、組付部における開放孔の形成箇所よりも、入口側（組付部の入口側）に挿入される部位」に、周回状の装着部（以下、「入口側装着部」という。）が設けられてもよい。この「入口側装着部」が、円形（真円形）の周回状の経路」を備てもよいし、「奥側装着部」と同様な「周回状の経路（円弧状部分と、逃がし部分と、を備える周回状の経路）」を備えてもよい。
【００１９】
請求項２の発明の水栓用部材の組付構造は、請求項１に記載の水栓用部材の組付構造において、
前記挿入部は軸心の方向に沿って挿通用空間部を備え、該挿通用空間部に吐水用ホースを引き出し自在に挿通しつつ、該吐水用ホースを保持すると共に、
前記第１の水栓用部材は、前記挿入部に保持された前記吐水用ホースを支持し、
前記挿入部の軸心の方向に沿った中間部には、前記挿通空間部内に浸入した水を、前記挿通空間部外に排水するための排水部が設けられ、該排水部と前記開放孔とが上下方向に位置合わせされることを特徴とする。
【００２０】
請求項２の発明は、第１の水栓用部材と、第２の水栓用部材の具体的な内容を例示するものである。つまり、挿入部によって、吐水用ホースを引き出し自在に挿通されると共に、この吐水用ホースを保持する（収納する）保持部材（収納部材）を構成する。そして、第１の水栓用部材、若しくは、その一部によって、「吐水用ホースを保持している挿入部」を支持する支持部材（例えば、スタンド本体）を構成する態様を例示している。
【００２１】
請求項２の発明では、吐水用ホースを伝わって組付用空間部に浸入する水は、挿通空間部内に浸入し、排水部を通じて挿通空間部外に排水させる。このとき、排水部よりも、組付用空間部の奥側において、奥側装着部に装着されたシール部材が、組付部における内周部の下部側に水密状に接触し、挿通空間部外に排水される水がせき止められ、組付用空間部の更に下方に浸入することが阻止される。そして、このシール部材によって、せき止められた水は、開放孔を通じて、組付部（第１の水栓用部材）の外部に排出される。つまり、奥側装着部に装着されたシール部材は、吐水用ホースを伝わった水を「水切り」して、組付部（第１の水栓用部材）の外部に排出させるための「水切り部材」として機能する。
【００２２】
ここで、吐水用ホースとは、給水源（水栓本体、元配管の端末部、若しくは、給湯器等）と、「吐水具」との間に介在されるホースを指す。尚、この「吐水具」は、シャワー吐水を行うためのシャワーヘッドに限定されるものでなく、種々の態様の吐水（通常吐水、泡沫吐水等）を行うための吐水ヘッド等が含まれる。また、この吐水用ホースを挿通用空間部に挿通させ、引き出し、若しくは、挿入（収納）する際に、この吐水用ホースが、内周部（挿通用空間部を取り囲む内周部）と摺動することとしてもよい。
【００２３】
請求項３の発明の水栓用部材の組付構造は、請求項１又は請求項２に記載の水栓用部材の組付構造において、
前記挿入部は、前記排水部を基準とした前記挿入部の軸心の方向に沿った両側に装着部を備え、各装着部に前記挿入部の外周部と前記組付部の内周部との間に水密部を形成するためのシール部材が装着されると共に、
前記挿入部において前記排水部よりも奥側に位置する装着部が、前記奥側装着部を構成することを特徴とする。
【００２４】
請求項３の発明は、第２の水栓用部材の具体的な内容を例示するものである。この請求項３の発明によると、両装着部と、それらに装着されるシール部材の作用によって、挿入部の軸心と、組付用空間部の軸心とを同軸状に位置合わせすることが容易である。尚、請求項３の発明が、請求項２の発明に従属する場合、挿入部は、吐水用ホースの軸心を、組付用空間部の軸心とを同軸状に位置合わせし、吐水用ホースの円滑な引き出しと、挿入とを可能とするための部材として機能する。
【００２５】
請求項４の発明の水栓用部材の組付構造は、請求項１乃至請求項３の何れかに記載の水栓用部材の組付構造において、
前記組付部に被係合部が設けられ、前記挿入部には係合部が設けられ、
前記係合部を前記被係合部に係合することで、前記挿入部の前記組付部への位置決めと、前記挿入部の前記組付部への固定が行われる。
【００２６】
請求項４の発明によると、係合部を被係合部に係合することで、挿入部の組付部への位置決めと、挿入部の組付部への固定を行うことができるので、第１の水栓用部材と、第２の水栓用部材との組付作業を円滑に行うことができる。
【００２７】
ここで、「被係合部」の具体例として、組付部の内周部で開口する「被係合孔」を例示でき、「挿入部」の具体例として、挿入部の半径外側方向に突出すると共に、挿入部の半径内側方向に弾性変形可能な係合突起（具体的には、挿入部から片持ち梁部を突出させた状態で、この片持ち梁部の自由端から、挿入部の半径外側方向に突出する係合突起）を例示できる。この場合、組付部と挿入部とを、挿入部の軸心周りに相対回転させて、係合部を被係合部に係合させることができる。
【００２８】
請求項５の発明の水栓用部材は、
空間断面が略円形で、軸心が略水平、若しくは、傾斜状とされる組付用空間部を内部に形成すると共に、軸心の方向に沿った所定の位置の下部に前記組付用空間部を下方に向かって開放する開放孔が形成された組付部を具備する他の水栓部品に対して、一部若しくは全体を構成する挿入部を前記組付用空間部に挿入しつつ、組み付けられる水栓用部材であって、
前記挿入部の外周部のうちで、前記組付部における前記開放孔の形成箇所よりも奥側に挿入される部位には奥側装着部が周回状に設けられ、
該奥側装着部に対して、前記挿入部の外周部と前記組付部の内周部との間に水密部を形成するためのシール部材が装着されると共に、
前記奥側装着部は、仮想的な基準円の円周部に沿った円弧状部分と、該基準円の円周部の内側に位置する逃がし部分と、を備える周回状の経路を備え、
前記組付用空間部内において下方側に位置する部位に前記円弧状部分が配置されることを特徴とする。
【００２９】
ここで、請求項５の発明の「水栓用部材」は、請求項１の発明の「第２の水栓用部材」に相当し、請求項５の発明の「他の水栓用部材」は、請求項１の発明の「第１の水栓用部材」に相当する。この請求項５の発明によっても、請求項１の発明と同様な効果を得ることができる。尚、請求項５の発明が、前述の請求項２〜請求項４の発明と同様な内容の発明を、従属発明としてもよい。
【００３０】
請求項６の発明の水栓用部材の組付構造は、
第１の水栓用部材に設けられる組付部における空間断面が略円形の組付用空間部に対して、第２の水栓用部材の一部若しくは全体を構成する挿入部を挿入しつつ、前記第１の水栓用部材に前記第２の水栓用部材を組み付けて構成される、水栓用部材の組付構造であって、
前記組付部において前記組付用空間部の軸心の方向に沿った所定の位置には、前記組付部を肉厚方向に貫通し、前記組付用空間部を前記組付部の外部に開放する開放孔が形成され、
前記挿入部の外周部のうちで、前記組付部における前記開放孔の形成箇所よりも奥側に挿入される部位には奥側装着部が周回状に設けられ、
該奥側装着部に対して、前記挿入部の外周部と前記組付部の内周部との間に水密部を形成するためのシール部材が装着されると共に、
前記奥側装着部は、仮想的な基準円の円周部に沿った円弧状部分と、該基準円の円周部の内側に位置する逃がし部分と、を備える周回状の経路を備えることを特徴とする。
【００３１】
請求項６の発明は、請求項５の発明の上位概念に相当する。つまり、組付部における開放孔の形成箇所を限定しない点と、逃がし部分の形成位置を限定しない点とが請求項１の発明と異なっている。この請求項６の発明によっても、請求項１の発明と同様に、組付部に挿入部を挿入する作業の際に、奥側装着部に装着されたシール部材に破損を生ずることを防止したり、破損を生ずる可能性を低くできる。
【発明の効果】
【００３２】
以上のように、請求項１〜４及び６の各発明によると、「開放孔を備える水栓用部材」に対して、「シール部材が装着された水栓用部材」を組み付ける際に、このシール部材に破損を生ずることを防止したり、破損を生ずる可能性を低くできる、水栓用部材の組付構造を得ることができる。また、請求項５の発明によると、このような組付構造を構成するための水栓用部材が得られる。
【発明を実施するための最良の形態】
【００３３】
次に、本各発明に係わる「水栓用部材の組付構造（以下、「組付構造」という。）Ｋ」の最良の形態（以下、「実施例」という。）を図面に従って詳細に説明する。この組付構造Ｋは、図１に示すように、キッチンの台部（デッキ部）Ｄに設置される湯水混合水栓１に対して適用されるものである。
【００３４】
この湯水混合水栓１は、所謂「シングルレバータイプ」の湯水混合水栓１であり、台部（デッキ部）Ｄ上に設置される水栓本体１０と、水栓本体１０の上部に配置された操作部（レバータイプ）１１と、水栓本体１０の側面部から斜め上方に突出するスタンド本体２０と、支持部材３０と、第１のシール部材４０と、第２のシール部材５０と、シャワーホース５と、シャワーヘッド６と、を備えている。
【００３５】
尚、水栓本体１０は、流路形成体（詳細な図示を省略）１０ａと、流路形成体（詳細な図示を省略）１０ａを被覆する外装体１２と、を備えている。このうち、流路形成体１０ａは、快削黄銅によって構成されると共に内部に流路を形成している。また、外装体１２は、流路形成体１０ａの下端部１０ｂを除く略全体に対して同軸状に外嵌されると共に、流路形成体１０ａの軸心周りに回動可能とされている。
【００３６】
スタンド本体２０は、第１の水栓用部材の具体例を構成するものである。このスタンド本体２０は、継目無管によって構成されている。そして、このスタンド本体２０は、下端部２１を水栓本体１０（外装体１２）に一体化させ、軸心を斜め上方に向けた状態とされている。尚、スタンド本体２０の内部空間は、水栓本体１０（流路形成体１０ａ）内の「ホース通過用空間部（図示を省略）」と連通する状態となっている。
【００３７】
このスタンド本体２０は、図２に示すように、上端部２２を斜め上方に開放し、後述するシャワーヘッド６の「受け入れ口」を構成している。このスタンド本体２０においては、その軸心Ｊの方向に沿った各位置の下部（最下部）２４ｋが、このスタンド本体２０の下方に位置する稜線部（直線状の稜線部）２４ｒによって構成されている。尚、スタンド本体２０の上端部２２は、段差部２２ｄを構成している。
【００３８】
このスタンド本体２０において、上端部２２側に位置する所定の幅（軸心Ｊの方向に沿った幅であって、具体的には、後述する挿入部Ｓの軸心長に相当する幅）の部位が、組付部２５を構成している。この組付部２５は、内部に略円柱状の組付用空間部２５ａを構成している。つまり、この組付用空間部２５ａは、その軸心（本実施例では、スタンド本体２０の軸心Ｊに一致）を、スタンド本体２０の上端部２２に向かって上がり傾斜としつつ、この軸心に直交する空間断面（空間の断面）を略円形としている。
【００３９】
図２に示すように、組付部２５において、その軸心（スタンド本体２０の軸心Ｊ）方向に沿った中間の位置（上下方向に沿った中間の位置）であって、組付部（スタンド本体２０）２５の下部２４ｋに相当する位置には、開放孔２６が形成されている。この開放孔２６は、組付用空間部２５ａを、組付部（スタンド本体２０）２５よりも下方に開放する状態に設けられている。この開放孔２６は、組付部（スタンド本体２０）２５の周方向に沿って円弧状に設けられ、その円弧状の中心部を、組付部２５の下部２４ｋに配置している。
【００４０】
この組付部２５において、その軸心（スタンド本体２０の軸心Ｊ）方向に沿った後端（下端）の位置（上下方向に沿った下端の位置）であって、しかも、組付部（スタンド本体２０）２５の下部２４ｋに相当する位置には、被係合孔２７が形成されている。この被係合孔２７も、組付用空間部２５ａを、組付部（スタンド本体２０）２５よりも下方に開放する状態に設けられている。この被係合孔２７は、組付部（スタンド本体２０）２５の下部に略矩形状に形成されている。
【００４１】
開放孔２６及び被係合孔２７は、何れも、組付部２５の外部から機械加工（切削加工）を施して形成されたものである。このため、組付部２５の内周部２５ｂにおいて、開放孔２６及び被係合孔２７の周囲に位置する部位には、バリ等の突起部（好ましからざる突起部）Ｂが形成される可能性が高くなっている（図８を参照）。
【００４２】
シャワーホース５は、図１に示すように、「吐水用ホース」の具体例を構成するものである。そして、金属製の螺旋管及び樹脂製チューブとを備える多層ホースを備える二重管を主体に構成されている。つまり、このシャワーホース５は、所謂「メタルホース」と称されるホースであり、略蛇腹状で、金属製の螺旋管を用いて構成されるアウター管と、樹脂製チューブによって構成されると共にアウター管に挿通させるインナー管と、を備える。このシャワーホース５は、適度な弾性を備えている。
【００４３】
このシャワーホース５は、その２次の端部（下流の端部）側の部分及び中間部を、スタンド本体２０内に挿通させ、１次の端部（上流の端部）側の部分を、水栓本体１０の内部（ホース通過用空間部の内部）に挿通させている。また、シャワーホース５の１次側の端部（上流側の端部）は、水栓本体１０の流出口（図示を省略）に接続されている。尚、この流出口からは、（１）水栓本体１０に供給された水（以下、「元水」という。）と、水栓本体１０に供給された湯（以下、「元湯」という。）とを、水栓本体１０に内蔵された弁装置で適温に混合して構成される水（以下、「混合水」という。）、（２）水栓本体１０に内蔵された弁装置をそのまま通過した「元水（元湯との混合がなされない元水）」、若しくは、（３）水栓本体１０に内蔵された弁装置をそのまま通過した「元湯（元水との混合がなされない元湯）」が流出する。
【００４４】
シャワーヘッド６は、図１に示すように、略筒状のヘッド本体６ａと、ヘッド本体６ａの上端部から下方に垂下する吐水部６ｂとを備えている。このヘッド本体６ａの下端部の内周部には、スペーサ部材６ｃが嵌合されている。このスペーサ部材６ｃの上端部側の内周部には、雌型のセレーション６ｄが形成されている。
【００４５】
シャワーホース５の２次の端部（下流の端部）は、このスペーサ部材６ｃの内部空間を軸心方向に通過した後、このシャワーヘッド６の内部流路（図示を省略）に接続されている。そして、前述の操作部（レバータイプ）１１に吐水操作を施すと、水栓本体１０から流出して、シャワーホース５を通過した「混合水」、「元湯」、若しくは、「元水」が、このシャワーヘッド６の内部流路に流入する。このシャワーヘッド６は、その吐水部６ｂの下面部から吐水（シャワー吐水）される構造となっている。尚、このシャワーヘッド６は、スタンド本体２０の上端部２２に支持されるか、使用者の手に保持されつつ、使用される。そして、このシャワーヘッド６においては、吐水部６ｂの下面部から滴る「混合水」、「元湯」、若しくは、「元水」が、ヘッド本体６ａの外周部、シャワーホース５の順に伝わることがある。
【００４６】
支持部材３０は、第２の水栓用部材の具体例を構成するものであり、その一部を用いて挿入部の具体例を構成している。この支持部材３０は、樹脂を用いて構成される一体成形品であると共に、組付用空間部２５ａに一部を挿入可能な略筒状体を用いて構成されている。
【００４７】
この支持部材３０は、図３に示すように、略円筒状に構成される本体部３１と、本体部３１の中間部の外周面に設けられた第１の装着部３２と、本体部３１の後端部側の外周面に設けられた第２の装着部３３と、本体部３１の後端面から後方に突出する係合脚３５と、を備えている。
【００４８】
本体部３１は、シャワーホース５を摺動状態にて挿入可能な挿通用空間部３１ａを軸心に沿って備える（図２を参照）。この挿通用空間部３１ａは、本体部３１の前端面と後端面で開口する略円柱状の空間形状を備える。また、本体部３１の外周部のうちで、本体部３１の前端側に位置する部位には、前述の雌型のセレーション６ｄとセレーション嵌合可能な雄型のセレーション３１ｂが形成されている。
【００４９】
支持部材３０において、「第１の装着部３２を含む、後方側の部分（第１の装着部３２から、第２の装着部３３に至る部分）」が、挿入部Ｓの具体例を構成している。また、本体部３１の外周部において、第１の装着部３２と第２の装着部３３との間に位置する部位の上下部には、各々、開口部３１ｃ、３１ｄが形成されている。また、何れの開口部３１ｃ、３１ｄも、本体部３１を肉厚方向に貫通する状態に設けられ、挿通用空間部３１ａをその半径外側方向に開放するものである。そして、下方に配置される開口部３１ｄが、排水部の具体例を構成する。この開口部３１ｄは、挿通用空間部３１ａ内に浸入した水（「混合水」、「元湯」、若しくは、「元水」）を、挿通用空間部３１ａ外に排出するための排出口として機能する。
【００５０】
図４に示すように、本体部３１の中間部の外周面において、所定の間隔（後述する第１のシール部材４０の直径と略等しいか、この直径よりも僅かに狭い間隔）をおいた部位からは、一対のフランジ部３２ａ、３２ａが突出している。これらのフランジ部３２ａは、本体部３１の半径外側方向に突出する状態に形成されている。そして、本体部３１の中間部の外周面において、一対のフランジ部３２ａ、３２ａによって挟まれた部位が、第１のシール部材４０の装着される装着部、つまり、第１の装着部３２を構成している。
【００５１】
この第１の装着部３２は、「入口側装着部」の具体例を構成すると共に、図５（ａ）に示すように、真円状に構成される周回状の経路３２ｋを備えている。そして、図５（ｂ）に示すように、この第１の装着部３２には、第１のシール部材（パッキン）４０が外嵌状に装着されている。これにより、第１のシール部材４０は自身の弾性を用いて、内周部４０ａを第１の装着部３２に圧着させると共に、左右の側周部（図示を省略）を対向するフランジ部３２ａに圧着させる。そして、第１のシール部材４０の外周部４０ｂは、両フランジ部３２ａ、３２ａの突端部３２１ａよりも、更に、本体部３１の半径外側方向に突出する状態とされる。尚、図５（ｂ）では、説明の便宜のため、第１のシール部材４０の外周部４０ｂと、フランジ部３２ａの突端部３２１ａの位置関係を誇張して図示している（外周部４０ｂの突端部３２１ａからの突出量を誇張して図示している。）。
【００５２】
図４に示すように、本体部３１の後端部側の外周面において、所定の間隔（後述する第２のシール部材５０の直径と略等しいか、この直径よりも僅かに狭い間隔）をおいた部位からも、一対のフランジ部３３ａ、３３ａが突出している。これらのフランジ部３３ａも、本体部３１の半径外側方向に突出する状態に形成されている。そして、本体部３１の後端部側の外周面において、一対のフランジ部３３ａ、３３ａによって挟まれた部位が、第２のシール部材５０の装着される装着部、つまり、第２の装着部３３を構成している。そして、この第２の装着部３３が、奥側装着部の具体例を構成している。
【００５３】
この第２の装着部３３は、図６（ａ）に示すように、円弧状部分３３ｅと、弦状部分３３ｇとを備える周回状の経路３３ｋを備える。ここで、弦状部分３３ｇは、逃がし部分の具体例を構成する。また、円弧状部分３３ｅは、仮想的な基準円（第２の装着部３３が真円状の経路を描くと仮定した場合に、この経路が描く、真円である。）Ｃに円周部に沿って円弧状に形成される部分である。また、弦状部分３３ｇは、円弧状部分３３ｅの両端部間を接続する部分であり、前述の「仮想的な基準円Ｃ」の円周部の内側に位置している。尚、本実施例では、円弧状部分３３ｅの中心角Ａを、約２７０度に設定している。
【００５４】
この第２の装着部３３には、図６（ｂ）に示すように、第２のシール部材（パッキン）５０が外嵌状に装着されている。これにより、第２のシール部材５０は自身の弾性を用いて、内周部５０ａを第２の装着部３３に圧着させると共に、左右の側周部（図示を省略）を対向するフランジ部３３ａに圧着させる。
【００５５】
このように、第２の装着部（奥側装着部）３３に、第２のシール部材５０が装着（外嵌）されると、第２のシール部材５０の外周部５０ｂは、第２の装着部（奥側装着部）３３の経路に倣った形状となる。具体的には、装着前には、真円状であった第２のシール部材５０の外周部５０ｂは、第２の装着部（奥側装着部）３３への装着後に、「円弧状部分３３ｅに倣った円弧状部分Ｅ」と、「弦状部分３３ｇに倣った弦状部分（逃がし部分）Ｇ」とを備える状態となる。
【００５６】
第２のシール部材５０を、第２の装着部（奥側装着部）３３に装着すると、第２のシール部材５０の外周部５０ｂを構成する円弧状部分Ｅは、両フランジ部３３ａ、３３ａの突端部３３１ａよりも、更に、本体部３１の半径外側方向に突出する状態とされる。尚、図６（ｂ）においても、説明の便宜のため、第２のシール部材５０の外周部５０ｂと、フランジ部３３ａの突端部３３１ａの位置関係を誇張して図示している（外周部５０ｂの突端部３３１ａからの突出量を誇張して図示している。）。また、第２のシール部材５０の外周部５０ｂを構成する弦状部分（逃がし部分）Ｇは、両フランジ部３３ａ、３３ａの突端部３３１ａよりも、本体部３１の半径内側方向に後退する状態とされる。
【００５７】
係合脚３５は、図３及び図４に示すように、本体部３１の後端面における下方側の部位から、本体部３１の軸心方向に沿って後方に突出する片持ち梁部３５ａと、片持ち梁部３５ａの自由端側から、本体部３１の半径外側方向に突出する係合突起部３５ｂと、を備えている。この係合脚３５は、本体部３１の後端面を固定端とした状態で、本体部３１の半径外側方向と、半径内側方向とに弾性変形（撓み）を生じさせることが可能となっている。
【００５８】
以上の組付構造Ｋにおいては、各部材（スタンド本体２０、支持部材３０）が、例えば、以下の手順で組み付けられる。先ず、第１の装着部３２に対して、第１のシール部材４０を装着し、第２の装着部（奥側装着部）３３に対して、第２のシール部材５０を装着する。そして、挿通用空間部３１ａ内に、シャワーホース５を挿通した後に、支持部材３０を組付用空間部２５ａに挿入する。
【００５９】
この支持部材３０の組付用空間部２５ａへの挿入作業は、支持部材３０の後端部を、スタンド本体２０の上端部２２の斜め上方に同軸状に位置合わせし、しかも、支持部材３０をその軸心周りに１８０度回転させた状態（以下、「反転状態」という。）で開始される（図７を参照）。尚、この「反転状態」は、「支持部材３０を、その最終的な組み付け状態を基準に、軸心周りに１８０度回転させた状態」である。この反転状態では、図８に示すように、第２の装着部（奥側装着部）３３の弦状部分３３ｇと、第２のシール部材５０の外周部５０ｂの弦状部分Ｇが下方に配置された状態となる。また、係合脚３５が上方に配置された状態となる。
【００６０】
そして、この反転状態のまま、支持部材３０の組付用空間部２５ａへの挿入量を増加させ、第２のシール部材５０及び第２の装着部（奥側装着部）３３を、開放孔２６の形成箇所よりも奥側に到達させる作業を行う。この作業の際には、前述のように、第２のシール部材５０の外周部５０ｂの弦状部分Ｇが下方に配置され、この弦状部分Ｇと、組付部２５の内周部２５ｂとの間には、空き空間部２５ｃが形成される。このため、図８に示すように、組付部２５の内周部２５ｂにおいて、開放孔２６の周囲に位置する部位に、たとえ、バリ等の突起部（好ましからざる突起部）Ｂが形成されていても、第２のシール部材５０の外周部５０ｂと、突起部Ｂとの接触を回避できる。
【００６１】
そして、支持部材３０の組付用空間部２５ａへの挿入量を更に多くし、「第１の装着部３２の両側のフランジ部３２ａ、３２ａのうちの前方側のものの後面部」が、「スタンド本体２０の上端部２２の段差部２２ｄ」に当接したところで、支持部材３０の挿入を完了する。そして、支持部材３０をその軸心周りに１８０度回転させ、支持部材３０の状態を本来の状態とする。つまり、第２の装着部（奥側装着部）３３の弦状部分３３ｇと、第２のシール部材５０の外周部５０ｂの弦状部分Ｇが上方に配置される状態とすると共に、係合脚３５が下方に配置された状態とする。そして、係合脚３５の係合突起部３５ｂが、被係合孔２７に位置合わせされるように、支持部材３０の回転量を調節し、係合突起部３５ｂが被係合孔２７に位置合わせされ、係合突起部３５ｂが被係合孔２７に係合したところで、支持部材３０のスタンド本体２０への組み付けを完了する（図２を参照）。このとき、支持部材３０のスタンド本体２０へ位置決めと、支持部材３０のスタンド本体２０への固定を行うことができる。
【００６２】
このように、支持部材３０のスタンド本体２０への組み付けを完了した後、シャワーホース５のスタンド本体２０外への引き出しと、スタンド本体２０内への収納とが行われる。また、支持部材３０のスタンド本体２０への組み付けを完了すると、本体部３１の外周部において、下方に形成された開口部３１ｄが、開放孔２６の上方に配置される。
【００６３】
また、組付部２５の内周部２５ｂにおいて、開放孔２６の形成箇所よりも奥側の部位においては、「第２のシール部材５０」の弦状部分Ｇが上方に配置されるつまり、この「奥側の部位」では、上方側の一部がシールを行わないものとされている。但し、組付用空間部２５ａの内部は、開放孔２６によって大気開放されている。しかも、この「奥側の部位」において、下方部側を中心とした広範な部位が、「第２のシール部材５０」を用いて、シールされている。このため、組付構造Ｋにおいては、必要なシール性能が確保されている。
【００６４】
尚、本実施例では、両装着部３２、３３と、それらに装着されるシール部材４０、５０の作用によって、支持部材３０の軸心と、組付用空間部２５ａの軸心とが同軸状に位置合わせされている。しかも、この支持部材３０は、シャワーホース５の軸心を、組付用空間部２５ａの軸心とを同軸状に位置合わせし、シャワーホース５の円滑な引き出しと、挿入とを可能としている。
【００６５】
以上のように、本実施例によると、第２の装着部（奥側装着部）３３に装着された「第２のシール部材５０」に破損を生ずることを防止することができる。また、本支持部材３０は、シャワーホース５を引き出し自在に挿通されると共に、このシャワーホース５を保持する（収納する）保持部材（収納部材）として機能する。
【００６６】
しかも、この支持部材３０は、このように、「水切り（シャワーホース５を伝わった「混合水」、「元湯」、若しくは、「元水」を、開放孔２６を通じて、スタンド本体２０の外部に排出することをいう。）」を、実行する上で必要となる部分（円弧状部分Ｅ）に破損を生ずることを確実に防止し、この「水切り」を確実に行うことを可能とする。このため、シャワーホース５を伝わった「混合水」、「元湯」、若しくは、「元水」が、スタンド本体２０のより下方側へ到達することを防止できる。このため、本実施例では、従来においては、水栓本体１０の下方（台部Ｄ等の下方）に配置されることが多い「水受け部材（水受けタンク、水受け容器等）」を、省略することもできる。
【００６７】
尚、本各発明の範囲は前記各実施例に示す具体的な態様に限定されず、本各発明の範囲内で種々の変形例を例示できる。
【００６８】
つまり、第２の装着部（奥側装着部）３３が描く、周回状の経路３３ｋの態様は、実施例に例示する態様に限定されない。例えば、図９（ａ）の第１の変形例に示す経路３３ｋのように、仮想的な基準円Ｃに円周部に沿って円弧状に形成される円弧状部分３３ｅと、基準円Ｃに円周部の内側に位置し、基準円Ｃの中心部の方向に凹む曲線状部分３３ｈと、によって構成してもよい。また、図９（ｂ）の第２の変形例に示す経路３３ｋのように、円弧状部分３３ｅ及び弦状部分３３ｇのうちの少なくとも一方を、複数個としてもよい。更に、また、図９（ｃ）の第３の変形例に示す経路３３ｋのように、円弧状部分３３ｅと、凹み部３３１ｇを備える弦状部分３３ｇとを備えてもよい。
【００６９】
また、本実施例では、組付用空間部２５ａの空間面積を、組付用空間部２５ａの空間断面を軸心方向に沿って一定としたが（組付用空間部２５ａの空間形状を円柱状としたが）、図１０（ａ）に示す第４の変形例や、図１０（ｂ）に示す第５の変形例のように、組付用空間部２５ａの空間断面を面積を軸心方向に沿って変化させてもよい。
【００７０】
また、本実施例では、挿入部Ｓを、組付用空間部２５ａの上方から、この組付用空間部２５ａに挿入する態様を例示したが、図１０（ｂ）に示す第５の変形例のように、挿入部Ｓを、組付用空間部２５ａの下方から、この組付用空間部２５ａに挿入してもよい。この場合、奥側装着部（第２の装着部）３３が上方に配置される。更に、第１の水栓用部材と、第２の水栓用部材の態様は本実施例で例示する態様に限定されない。例えば、相互に挿嵌される複数の管状体を備える共に、挿嵌量を調節することで、全高を変化させる「吐水スタンド」において、雌側の管状体を第１の水栓用部材とし、雄側の管状体を第２の水栓用部材とする態様を例示することもできる。
【産業上の利用可能性】
【００７１】
本発明は、例えば、水栓の製造、販売、施工、加工等を行う分野で利用可能である。
【図面の簡単な説明】
【００７２】
【図１】実施例の組付構造が適用された湯水混合水栓の側面図（一部に縦断面を示す。）である。
【図２】図１の要部拡大図である。
【図３】支持部材を示す斜視図である。
【図４】支持部材を示す縦断面図である。
【図５】（ａ）は図４の５−５断面図であり、（ｂ）は図４の５−５断面図に、第１のシール部材を装着した状態を示す断面図である。
【図６】（ａ）は図４の６−６断面図であり、（ｂ）は図４の６−６断面図に、第２のシール部材を装着した状態を示す断面図である。
【図７】支持部材の装着方法を説明するための縦断面図である。
【図８】（ａ）は実施例の要部を説明するための説明図あり、（ｂ）は図８（ａ）の拡大図である。
【図９】（ａ）は第１の変形例を示す断面図であり、（ｂ）は第２の変形例を示す断面図であり、（ｃ）は第３の変形例を示す断面図である。
【図１０】（ａ）は第４の変形例を説明するための縦断面図であり、（ｂ）は第５の変形例を説明するための縦断面図である。
【図１１】（ａ）及び（ｂ）は従来例を説明するための縦断面図である。
【符号の説明】
【００７３】
Ｋ；組付構造、
Ｓ；挿入部、
５；シャワーホース（吐水用ホース）、
６；シャワーヘッド、
２０；シャワースタンド（第１の水栓用部材）、
２５；組付部、
２５ａ；組付用空間部、
２６；開放孔、
２７；被係合孔（被係合部）、
３０；支持部材（第２の水栓用部材）、
３５；係合脚（係合部）。
【図１】
0004694927.tif 000002
【図２】
0004694927.tif 000003
【図３】
0004694927.tif 000004
【図４】
0004694927.tif 000005
【図５】
0004694927.tif 000006
【図６】
0004694927.tif 000007
【図７】
0004694927.tif 000008
【図８】
0004694927.tif 000009
【図９】
0004694927.tif 000010
【図１０】
0004694927.tif 000011
【図１１】
0004694927.tif 000012